(57)【要約】【課題】  片手で操作する場合に、その操作性を向上させることが可能な携帯型情報処理装置、そのデータ処理方法、およびコンピュータが実行可能なプログラムを提供することを目的とする。【解決手段】  携帯型情報処理装置は、前面側に配置された表示部と、前記表示部上に配置された、タッチ位置及びそのタッチ位置での圧力を検出可能なタッチパッドと、背面側に配置された圧力センサと、操作対象を選択する操作対象選択手段と、前記タッチパッドの圧力の検出結果と、前記圧力センサの圧力の検出結果とに基づいて、前記操作対象選択手段で選択した操作対象の操作量を増減させる操作量増減手段と、を備えている。【選択図】  図２
2015049850.tif 000002
【特許請求の範囲】
【請求項１】
スレート形状を呈する携帯型情報処理装置であって、
前面側に配置された表示部と、
前記表示部上に配置された、タッチ位置及びそのタッチ位置での圧力を検出可能なタッチパッドと、
背面側に配置された圧力センサと、
操作対象を選択する操作対象選択手段と、
前記タッチパッドの圧力の検出結果と、前記圧力センサの圧力の検出結果とに基づいて、前記操作対象選択手段で選択した操作対象の操作量を増減させる操作量増減手段と、
を備えたことを特徴とする携帯型情報処理装置。
【請求項２】
前記操作対象選択手段は、前記タッチパッドで前記操作対象がタッチされ、かつ、前記圧力センサがタッチされた場合に、前記操作対象を選択することを特徴とする請求項１に記載の携帯型情報処理装置。
【請求項３】
前記操作対象選択手段は、前記選択した操作対象に対する前記タッチパッドのタッチが解除された場合、又は、前記圧力センサのタッチが解除された場合に、前記選択した操作対象の選択状態を解除することを特徴とする請求項２に記載の携帯型情報処理装置。
【請求項４】
前記操作量増減手段は、前記選択した操作対象に対する前記タッチパッドでの圧力の増加を検出した場合には、前記選択した操作対象の操作量を増加させる一方、前記圧力センサで圧力の増加を検出した場合には、前記選択した操作対象の操作量を減少させることを特徴とする請求項１〜３のいずれか１つに記載の携帯型情報処理装置。
【請求項５】
前記操作対象選択手段は、前記操作対象として画像を選択し、
前記操作量増減手段は、前記選択した画像に対する前記タッチパッドでの圧力の増加を検出した場合には、前記選択した画像を順方向に移動させ、前記圧力センサで圧力の増加を検出した場合には、前記選択した画像を逆方向に移動させることを特徴とする請求項４に記載の携帯型情報処理装置。
【請求項６】
前記操作対象選択手段は、前記操作対象として画面のエリアを選択し、
前記操作量増減手段は、前記選択したエリアに対する前記タッチパッドでの圧力の増加を検出した場合には、前記選択したエリアをズームインし、前記圧力センサで圧力の増加を検出した場合には、前記選択した画面のエリアをズームアウトすることを特徴とする請求項４に記載の携帯型情報処理装置。
【請求項７】
前記操作対象選択手段は、ボリュームを変更可能なデバイスを選択し、
前記操作量増減手段は、前記選択したデバイスに対する前記タッチパッドでの圧力の増加を検出した場合には、前記デバイスのボリュームのアップを行い、前記圧力センサで圧力の増加を検出した場合には、前記選択したデバイスのボリュームのダウンを行うことを特徴とする請求項４に記載の携帯型情報処理装置。
【請求項８】
前面側に配置されたディスプレイと、前記ディスプレイ上に配置された、タッチ位置及びそのタッチ位置での圧力を検出可能なタッチパッドと、背面側に配置された圧力センサとを備えたスレート形状を呈する携帯型情報処理装置のデータ処理方法であって、
操作対象を選択する操作対象選択工程と、
前記タッチパッドの圧力の検出結果と、前記圧力センサの圧力の検出結果とに基づいて、選択された操作対象の操作量を増減させる操作量増減工程と、
を含むことを特徴とする携帯型情報処理装置のデータ処理方法。
【請求項９】
前面側に配置されたディスプレイと、前記ディスプレイ上に配置された、タッチ位置及びそのタッチ位置での圧力を検出可能なタッチパッドと、背面側に配置された圧力センサとを備えたスレート形状を呈する携帯型情報処理装置に搭載されるプログラムであって、
操作対象を選択する操作対象選択工程と、
前記タッチパッドの圧力の検出結果と、前記圧力センサの圧力の検出結果とに基づいて、選択された操作対象の操作量を増減させる操作量増減工程と、
をコンピュータに実行させることを特徴とするコンピュータが実行可能なプログラム。
【発明の詳細な説明】
【技術分野】
【０００１】
本発明は、携帯型情報処理装置、そのデータ処理方法、およびコンピュータが実行可能なプログラムに関する。  
【背景技術】
【０００２】
近年、タブレットＰＣ、スマートフォン、ＰＤＡ（Ｐｅｒｓｏｎａｌ  Ｄｉｇｉｔａｌ  Ａｓｓｉｓｔａｎｃｅ）等のスレート型の携帯情報処理装置が普及している。このようなスレート型の携帯情報処理装置は、ユーザインタフェィスとして、ディスプレイと、キーボードや指先でタッチして操作するタッチパッドのようなキー入力部とを備え、各種アプリケーションを実行して、情報の閲覧や各種処理が可能となっている。
【０００３】
かかるスレート型の携帯情報処理装置では片手で操作する場合が多く、片手でも操作しやすいデバイスが望まれている。携帯情報処理装置ではボリューム等の操作量をタッチパネルで操作する場合には、例えば、＋ボタンと−ボタンを表示画面に表示する。＋ボタンを操作してボリュームＵＰ、−ボタンを操作してボリュームＤＯＷＮを行うため、表示画面に多くのスペースを費やしてしまう。また、＋ボタンと−ボタンを押し変える必要があるため、片手で操作する場合には操作が面倒となる。また、従来の携帯情報処理装置では、片手の操作で複数の画像（シート）を並べ変える場合にはその操作性が悪いという問題がある。例えば、画像を後方から１つ（１頁）手前に移動させる場合には、複数の操作が必要となり、その操作が煩わしいという問題がある。
【先行技術文献】
【特許文献】
【０００４】
【特許文献１】特開２０１０−１４０４１７号公報
【特許文献２】特開２０１１−７０６０９号公報
【発明の概要】
【発明が解決しようとする課題】
【０００５】
本発明は、上記に鑑みてなされたものであり、片手で操作する場合に、その操作性を向上させることが可能な携帯型情報処理装置、そのデータ処理方法、およびコンピュータが実行可能なプログラムを提供することを目的とする。
【課題を解決するための手段】
【０００６】
上述した課題を解決し、目的を達成するために、本発明は、スレート形状を呈する携帯型情報処理装置であって、前面側に配置された表示部と、前記表示部上に配置された、タッチ位置及びそのタッチ位置での圧力を検出可能なタッチパッドと、背面側に配置された圧力センサと、操作対象を選択する操作対象選択手段と、前記タッチパッドの圧力の検出結果と、前記圧力センサの圧力の検出結果とに基づいて、前記操作対象選択手段で選択した操作対象の操作量を増減させる操作量増減手段と、を備えたことを特徴とする。
【０００７】
また、本発明の好ましい態様によれば、前記操作対象選択手段は、前記タッチパッドで前記操作対象がタッチされ、かつ、前記圧力センサがタッチされた場合に、前記操作対象を選択することが望ましい。
【０００８】
また、本発明の好ましい態様によれば、前記操作対象選択手段は、前記選択した操作対象に対する前記タッチパッドのタッチが解除された場合、又は、前記圧力センサのタッチが解除された場合に、前記選択した操作対象の選択状態を解除することが望ましい。
【０００９】
また、本発明の好ましい態様によれば、前記操作量増減手段は、前記選択した操作対象に対する前記タッチパッドでの圧力の増加を検出した場合には、前記選択した操作対象の操作量を増加させる一方、前記圧力センサで圧力の増加を検出した場合には、前記選択した操作対象の操作量を減少させることが望ましい。
【００１０】
また、本発明の好ましい態様によれば、前記操作対象選択手段は、前記操作対象として画像を選択し、前記操作量増減手段は、前記選択した画像に対する前記タッチパッドでの圧力の増加を検出した場合には、前記選択した画像を順方向に移動させ、前記圧力センサで圧力の増加を検出した場合には、前記画像を逆方向に移動させることが望ましい。
【００１１】
また、本発明の好ましい態様によれば、前記操作対象選択手段は、前記操作対象として画面のエリアを選択し、前記操作量増減手段は、前記選択したエリアに対する前記タッチパッドでの圧力の増加を検出した場合には、前記選択したエリアをズームインし、前記圧力センサで圧力の増加を検出した場合には、前記選択した画面のエリアをズームアウトすることが望ましい。
【００１２】
また、本発明の好ましい態様によれば、前記操作対象選択手段は、ボリュームを変更可能なデバイスを選択し、前記操作量増減手段は、前記選択したデバイスに対する前記タッチパッドでの圧力の増加を検出した場合には、前記デバイスのボリュームのアップを行い、前記圧力センサで圧力の増加を検出した場合には、前記選択したデバイスのボリュームのダウンを行うことが望ましい。
【００１３】
また、上述した課題を解決し、目的を達成するために、本発明は、前面側に配置されたディスプレイと、前記ディスプレイ上に配置された、タッチ位置及びそのタッチ位置での圧力を検出可能なタッチパッドと、背面側に配置された圧力センサとを備えたスレート形状を呈する携帯型情報処理装置のデータ処理方法であって、操作対象を選択する操作対象選択工程と、前記タッチパッドの圧力の検出結果と、前記圧力センサの圧力の検出結果とに基づいて、選択された操作対象の操作量を増減させる操作量増減工程と、を含むことを特徴とする。
【００１４】
また、上述した課題を解決し、目的を達成するために、本発明は、前面側に配置されたディスプレイと、前記ディスプレイ上に配置された、タッチ位置及びそのタッチ位置での圧力を検出可能なタッチパッドと、背面側に配置された圧力センサとを備えたスレート形状を呈する携帯型情報処理装置に搭載されるプログラムであって、操作対象を選択する操作対象選択工程と、前記タッチパッドの圧力の検出結果と、前記圧力センサの圧力の検出結果とに基づいて、選択された操作対象の操作量を増減させる操作量増減工程と、をコンピュータに実行させることを特徴とする。
【発明の効果】
【００１５】
本発明によれば、片手で操作する場合に、その操作性を向上させることが可能な携帯型情報処理装置、そのデータ処理方法、およびコンピュータが実行可能なプログラムを提供することが可能となるという効果を奏する。  
【図面の簡単な説明】
【００１６】
【図１】図１は、本実施の形態に係る携帯型情報処理装置の使用状態を説明するための概略の外観図である。
【図２】図２は、本実施の形態に係る携帯型情報処理装置の概念図である。
【図３】図３は、本実施の形態に係る携帯型情報処理装置の操作量増減処理の概略を示すフローチャートである。
【図４】図４は本実施例に係るタブレットＰＣの前面図である。
【図５】図５は本実施例に係るタブレットＰＣの背面図である。
【図６】図６は、図４の概略のＡ−Ａ断面図である。
【図７】図７は、本実施例に係るタブレットＰＣの使用状態を説明するための説明図である。
【図８】図８は、本実施例に係るタブレットＰＣのハードウェアの構成を示す概略図である。
【図９】図９は、本実施例に係るタブレットＰＣの画像の並び換えに関する概略の機能構成図である。
【図１０】図１０は、本実施例に係るタブレットＰＣの画像の並び換えを説明するための説明図である。
【図１１】図１１は、画像の並び換えの手順を説明するためのフローチャートである。
【発明を実施するための形態】
【００１７】
以下、本実施の形態に係る携帯型情報処理装置、そのデータ処理方法、およびコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。  
【００１８】
（実施の形態）
図１は、本実施の形態に係る携帯型情報処理装置の使用状態を説明するための説明図、図２は、本実施の形態に係る携帯型情報処理装置の概念図である。図３は、本実施の形態に係る携帯型情報処理装置の操作量増減処理の概略を示すフローチャートである。
【００１９】
本実施の形態に係わる携帯型情報処理装置１は、図１に示すように、前面にタッチ位置及びそのタッチ位置での圧力を検出可能なタッチパネル２と、裏面に圧力センサ５を備えている。ユーザは、タッチパネル２に表示されているオブジェクトを選択する。ユーザは、例えば、前面におけるタッチ操作では、片方の手の第１の指を使用し、裏面におけるタッチ操作では、当該片方の手の第２の指を使用する。以下では、ユーザの左手の親指と人差し指を使用して操作する場合について説明するが、これらの指に限定されるものではなく、ユーザ自身が使いやすい指を使用することができる。
【００２０】
ユーザは、例えば、タッチパネル２に表示されるオブジェクトのうち、操作したいオブジェクト２００をタッチパネル２でタッチし、かつ、圧力センサ５をタッチすることで、操作対象を選択することができる。選択したオブジェクト２００上でタッチパネル２の押圧力を増加させることで、選択したオブジェクト２００の操作量を増加させることができ、他方、圧力センサ５の押圧力を増加させることで、選択したオブジェクト２００の操作量を減少させることができる。ここで、操作量は、例えば、移動量、拡大・縮小量、及びボリューム等の変更可能な量である。
【００２１】
図２に示すように、本実施の形態に係る携帯型情報処理装置１は、タッチパッド３及び表示部４で構成されるタッチパネル２と、圧力センサ５と、データ処理部６とを備えている。携帯型情報処理装置１は、ハードウェアやソフトウェアのモジュール、または、その組み合わせで構成することができる。
【００２２】
表示部４は、例えば、ＬＣＤや有機ＥＬディスプレイ等のフラットパネルディスプレイであり、文字や画像等の各種情報を表示可能となっている。  
【００２３】
タッチパッド３は、表示部４上である前面側に設けられ、複数本の指を同時に検出可能なマルチタッチパッドであり、指のタッチ位置（Ｘ，Ｙ）及びそのタッチ圧力（Ｐ）を検出可能な構成となっている。タッチパッド３は、指のタッチ位置（Ｘ，Ｙ）及びそのタッチ圧力（Ｐ）を、データ処理部６に出力する。
【００２４】
また、タッチパッド３は、ユーザが指をタッチして、表示部４に表示される各種メニュー、アイコン、ボタン、およびキーボード等の画面オブジェクトを選択して入力操作を行ったり、スクロールやスワイプ等の画面操作を行うためのものである。
【００２５】
圧力センサ５は、表示部４の後方である背面側に設けられ、指のタッチ圧力（Ｐ）を検出可能な構成となっている。圧力センサ５は、指のタッチ圧力（Ｐ）を検出して、データ処理部６に出力する。
【００２６】
データ処理部６は、操作対象選択部７と、選択解除部８と、操作量増減部９とを備えている。操作対象選択部７は、操作対象を選択するものであり、例えば、表示部４に表示される操作対象がタッチパッド３でタッチされ、かつ、圧力センサ５がタッチされた場合に（タッチパッド３と圧力センサ５の両方がタッチされている状態となった場合）、操作対象を選択する。なお、圧力センサ５をタッチする位置は、表示部４に表示される選択する操作対象に対応した位置でなくてもよい。操作対象選択部７は、選択した操作対象を識別表示してもよい。
【００２７】
例えば、ユーザは、表示部４に表示されるオブジェクトのうち、操作したいオブジェクトをタッチパッド３でタッチし、かつ、圧力センサ５をタッチすることで、操作対象を選択することができる。
【００２８】
選択解除部８は、操作対象選択部７で選択された操作対象に対するタッチパッド３のタッチが解除された場合、又は、圧力センサ５のタッチが解除された場合に、操作対象の選択状態を解除する。すなわち、タッチパッド３と圧力センサ５の両方がタッチされている状態が解除された場合に、操作対象の選択状態を解除する。選択解除部８は、操作対象の選択状態を解除する場合には、識別表示を解除してもよい。
【００２９】
例えば、ユーザは、選択した操作対象に対するタッチパッド３のタッチを解除することにより（指を選択した操作対象から離すことにより）、又は、圧力センサ５のタッチを解除することにより（圧力センサ５から指を離すことにより）、操作対象の選択状態を解除することができる。
【００３０】
操作量増減部９は、操作対象選択部７で選択された操作対象に対するタッチパッド３の押圧力の検出結果と、圧力センサ５の押圧力の検出結果とに基づいて、選択された操作対象の操作量を増減させる操作量増減処理を行う。例えば、操作量増減部９は、操作対象選択部７で選択された操作対象に対するタッチパッド３の押圧力の増加を検出した場合には、選択された操作対象の操作量を増加させる一方、圧力センサ５で押圧力の増加を検出した場合には、操作対象の操作量を減少させる。
【００３１】
例えば、ユーザは、選択した操作対象上でタッチパッド３の押圧力を増加させることで、選択した操作対象の操作量を増加させる（プラスの操作）ことができる。また、ユーザは、選択した操作対象上でタッチパッド３の押圧力を増加させることで、選択した操作対象の操作量を減少させる（マイナスの操作）ことができる。
【００３２】
例えば、操作対象は画像（シート）であり、操作対象選択部７で操作対象の画像が選択された場合において、操作量増減部９は、選択された画像に対するタッチパッド３の押圧力の増加を検出した場合には、画像を順方向（前面側から背面側）に移動し、圧力センサ５で押圧力の増加を検出した場合には、画像を逆方向（背面側から前面側）に逆移動させてもよい。
【００３３】
また、操作対象は画面（例えば、地図等）の所定のエリアであり、操作対象選択部７で操作対象のエリアが選択された場合において、操作量増減部９は、選択されたエリアに対するタッチパッド３の押圧力の増加を検出した場合には、ズームインを行い、圧力センサ５で押圧力の増加を検出した場合には、ズームアウトを行うことにしてもよい。  
【００３４】
また、操作対象はボリュームを変更可能なデバイス（例えば、スピーカ、ディスプレイ）であり、操作対象選択部７でデバイスが選択された場合に、操作量増減部９は、選択したデバイスに対するタッチパッド３の押圧力の増加を検出した場合には、選択したデバイスのボリュームのアップを行い、圧力センサで押圧力の増加を検出した場合には、選択したデバイスのボリュームのダウンを行うことにしてもよい。
【００３５】
より具体的には、例えば、操作対象選択部７でスピーカのアイコンが選択された場合に、操作量増減部９は、選択したアイコンに対するタッチパッド３の押圧力の増加を検出した場合には、選択したアイコンに対応するスピーカのボリュームのアップを行い、圧力センサで押圧力の増加を検出した場合には、スピーカのボリュームのダウンを行うことにしてもよい。また、例えば、操作対象選択部７でディスプレイのアイコンが選択された場合に、操作量増減部９は、選択したアイコンに対するタッチパッド３の押圧力の増加を検出した場合には、選択したアイコンに対応するディスプレイの輝度ボリュームのアップを行い、圧力センサで押圧力の増加を検出した場合には、ディスプレイの輝度ボリュームのダウンを行うことにしてもよい。
【００３６】
図３を参照して、上記携帯型情報処理装置１が選択した操作対象の操作量を増減させる手順の概略を説明する。操作対象選択部７は、タッチパネル２に表示される操作対象がタッチパッド３でタッチされ、かつ、圧力センサ５がタッチされたか否かを判断する（ステップＳ１）。タッチパネル２に表示される操作対象がタッチパッド３でタッチされ、かつ、圧力センサ５がタッチされた場合には（ステップＳ１の「Ｙｅｓ」）、操作対象選択部７は、当該操作対象を選択する（ステップＳ２）。
【００３７】
選択解除部８は、選択した操作対象に対するタッチパッド３のタッチが解除されたか否かを判断する（ステップＳ３）。選択した操作対象に対するタッチパッド３のタッチが解除された場合には（ステップＳ３の「Ｙｅｓ」）、選択解除部８は、選択した操作対象の選択状態を解除し（ステップＳ５）、ステップＳ１に戻る。
【００３８】
他方、選択した操作対象に対するタッチパッド３のタッチが解除されていない場合には（ステップＳ３の「Ｎｏ」）、選択解除部８は、圧力センサ５のタッチが解除されたか否かを判断する（ステップＳ４）。圧力センサ５のタッチが解除された場合には（ステップＳ４の「Ｙｅｓ」）、選択解除部８は、選択した操作対象の選択状態を解除し（ステップＳ５）、ステップＳ１に戻る。圧力センサ５のタッチが解除されていない場合には（ステップＳ４の「Ｎｏ」）、ステップＳ６に移行する。
【００３９】
ステップＳ６では、操作量増減部９は、選択した操作対象上でタッチパッド３の押圧力が増加したか否かを判断する。選択した操作対象上でタッチパッド３の押圧力が増加していない場合には（ステップＳ６の「Ｎｏ」）、ステップＳ８に移行する。選択した操作対象上でタッチパッド３の押圧力が増加した場合には（ステップＳ６の「Ｙｅｓ」）、操作量増減部９は、選択した操作対象の操作量を増加させ（ステップＳ７）、ステップＳ８に移行する。
【００４０】
ステップＳ８では、操作量増減部９は、圧力センサ５の押圧力が増加したか否かを判断する。圧力センサ５の押圧力が増加していない場合には（ステップＳ８の「Ｎｏ」）、ステップＳ３に移行する。圧力センサ５の押圧力が増加した場合には（ステップＳ８の「Ｙｅｓ」）、操作量増減部９は、選択した操作対象の操作量を減少させ（ステップＳ９）、ステップＳ３に移行する。
【００４１】
以上説明したように、本実施の形態によれば、前面側に配置された表示部４と、表示部４上に配置されたタッチパッド３と、背面側に配置された圧力センサ５と、操作対象を選択する操作対象選択部７と、タッチパッド３の押圧力の検出結果と、圧力センサ５の押圧力の検出結果とに基づいて、選択された操作対象の操作量を増減させる操作量増減部９と、を備えているので、片手で操作する場合にその操作性を向上させることが可能となる。また、操作量を調整するためのボタン等を表示画面に表示する必要がなくなり、表示画面の表示スペースを有効に活用することが可能となる。
【００４２】
また、操作対象選択部７は、タッチパッド３で操作対象がタッチされ、かつ、圧力センサ５がタッチされた場合に、操作対象を選択することとしたので、ユーザは、操作対象を指で挟むような操作をすることにより、簡単に操作対象を選択することが可能となる。
【００４３】
また、選択解除部８は、タッチパッド３で選択された操作対象のタッチが解除された場合、又は、圧力センサ５のタッチが解除された場合に、選択された操作対象の選択を解除することとしたので、ユーザは選択した操作対象の選択状態を簡単に解除することが可能となる。
【００４４】
また、操作対象選択部７は、タッチパッド３で押圧力の増加を検出した場合には、選択された操作対象の操作量を増加させる一方、圧力センサ５で押し圧力の増加を検出した場合には、操作対象の操作量を減少させることとしたので、ユーザは、前面側の指の押圧力を増加させることで操作対象の操作量を増加させ、背面側の指の押圧力を増加させることが可能となる。付言すると、携帯型情報処理装置の表側と裏側を片手の指（例えば、左手の親指と、左手の人差し指）で操作することにより、簡単にプラスの操作とマイナスの操作を行うことが可能となる。
【００４５】
（実施例）
図４〜図１１を参照して、本実施形態に係る携帯型情報処理装置を適用したタブレットＰＣ１０の概略の外観構成を説明する。図４はタブレットＰＣ１０の前面図、図５はタブレットＰＣ１０の背面図、図６は、図４の概略Ａ−Ａ断面図である。図７は、タブレットＰＣ１０の使用状態を説明するための説明図である。
【００４６】
タブレットＰＣ１０は、片手で保持できる程度のサイズとなっており、図４〜図６に示すように、前面１０ａ側にＬＣＤ１３が配置され、ＬＣＤ１３上にタッチパッド１２が配置されている。ＬＣＤ１３には各種情報が表示される。また、背面１０ｂ側には、圧力センサ１５が配置されている。
【００４７】
タブレットＰＣ１０は、略長方体である筐体１１に、回路基板１４、ＬＣＤ１３、タッチパッド１２、圧力センサ１５が収納されている。筐体１１は例えば合成樹脂で構成することができる。タッチパッド１２は、筐体１１の額縁と略同一平面上に配置されている。
【００４８】
タッチパッド１２は、複数本の指を同時に検出可能なマルチタッチパッドであり、例えば、静電容量式のタッチセンサで構成される座標検出部１２ａと、歪みセンサ等で構成される圧力検出部１２ｂとで構成されており、タッチ位置（Ｘ，Ｙ）及びそのタッチ圧力（Ｐ）を検出可能な構成となっている。なお、タッチ位置（Ｘ，Ｙ）及びそのタッチ圧力（Ｐ）を検出する方法は、公知の方法を使用することができるので、その詳細な説明は省略する。
【００４９】
圧力センサ１５は、タッチ圧力（Ｐ）を検出可能な構成となっており、例えば、歪みセンサ等で構成することができる。例えば、タッチパッド１２と圧力センサ１５とは、同一のサイズとすることができる。
【００５０】
図７において、ユーザは、画像（シート）の並び換えを行う場合には、ＬＣＤ１３に表示される画像のうち、移動したい画像をタッチパッド１２で例えば左手の親指でタッチし、かつ、例えば左手の人差し指で圧力センサ１５をタッチすることで、移動させる画像を選択することができる。図７に示す例では、画像１が選択されている。
【００５１】
そして、タッチパッド１２に対する親指の押圧力を増加させることで、選択した画像を順方向（図６において、前面側１０ａから背面側１０ｂに向かう方向）に移動させることができ、他方、圧力センサ１５に対する人差し指の押圧力を増加させることで、選択した画像を逆方向（図６において、背面側１０ｂから前面側１０ａに向かう方向）に移動させることができる。
【００５２】
図８は、上記タブレットＰＣ１０のハードウェアの構成を示す概略図である。タブレットＰＣ１０は、同図に示すように、ＣＰＵ１０１、ＲＯＭ１０２、メモリ１０３、ＨＤＤ（ハードディスク）１０４、ＬＣＤ１３と、グラフィクスアダプタ１０５と、入力部２０と、ＵＳＢポート１０６と、通信デバイス１０７と、電源回路１０８とを備えており、各部はバスを介して直接または間接的に接続されている。
【００５３】
ＣＰＵ１０１は、バスを介して接続されたＨＤＤ１０４に格納されたＯＳ１１１によりＰＣ１全体の制御を行うとともに、ＨＤＤ１０４に格納された各種のプログラムに基づいて処理を実行する機能を司る。ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。
【００５４】
メモリ１０３は、キャッシュメモリやＲＡＭで構成されており、ＣＰＵ１０１の実行プログラムの読み込み領域として、実行プログラムの処理データを書き込む作業領域として利用される書き込み可能メモリである。  
【００５５】
ＨＤＤ（ハードディスク）１０４は、例えば、タブレットＰＣ１０全体の制御を行うためのＯＳ１１１、周辺機器類をハードウェア操作するための各種デバイスのドライバ１１２（例えば、入力用ドライバ１１２ａ、表示ドライバ１１２ｂ等）１１２、タッチパッド１２及び圧力センサ１５を使用して画像の並び換えを行うための画像用アプリケーション１１３と、入力部２０の入力指示に従って、ＬＣＤ１３の表示画面の表示処理や他の処理を実行するための他のアプリケーションプログラ等を記憶する機能を有する。ＯＳ１１１は、タブレットＰＣ１０の基本的な動作を制御するものであり、各種資源を管理し、例えば、アプリケーションプログラムが発生した命令を、ドライバ１１２やＢＩＯＳ１０２ａ等に伝える。また、ＯＳ１１１は、マルチタスク機能を有し、アプリケーションの実行コンテキスト（あるアプリケーションが利用しているレジスタセットやメインメモリイメージ、ファイルハンドルなど）やＧＵＩの部品などのソフトウェア資源の管理も行う。ＯＳ１１１としては、例えば、Ｗｉｎｄｏｗｓ（登録商標），Ａｎｄｒｏｉｄ、ｉＯＳ等のＯＳを使用することができる。  アプリケーション及びドライバ間のデータ又はコマンドの送受信には、全てＯＳ１１１が介在する。  
【００５６】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。通信デバイス１０７は、ネットワークを介してデータの送受信を行うためのものである。
【００５７】
電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。  
【００５８】
入力部２０は、ユーザが入力操作を行うためのユーザインターフェースであり、ユーザが、ＬＣＤ１３の画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００５９】
入力部２０は、タブレットＰＣ１０の前面１０ａ側に配置されたタッチパッド１２と、背面１０ｂ側に配置された圧力センサ１５とを備えている。第１のタブレット１２は指等のタッチ位置（Ｘ，Ｙ）とそのタッチ圧力（Ｐ）を検出して、ＣＰＵ１０１に出力する。また、第２のタブレット１５は指等のタッチ圧力（Ｐ）を検出して、ＣＰＵ１０１に出力する。
【００６０】
次に、図９〜図１１を参照して、上記タブレットＰＣ１０による画像の並び換えの操作方法及び処理方法を説明する。図９は上記タブレットＰＣ１０の画像の並び換えに関する概略の機能構成図である。なお、図９において、ＯＳ１１１の図示を省略している。図１０は、上記タブレットＰＣ１０の画像の並び換えを説明するための説明図である。図１１は、画像の並び換えの手順を説明するためのフローチャートである。
【００６１】
図９において、入力用ドライバ１１２ａには、タッチセンサ２の座標検出部１２ａで検出されたタッチ座標（Ｘ，Ｙ）、及び圧力検出部１２ｂで検出されたそのタッチ圧力（Ｐ）が入力され、タッチ座標（Ｘ，Ｙ）、そのタッチ圧力（Ｐ）を画像用アプリケーション１１３に出力する。また、入力用ドライバ１１２ａには、圧力センサ１５で検出されたタッチ圧力（Ｐ）が入力され、そのタッチ圧力（Ｐ）を画像用アプリケーション１１３に出力する。
【００６２】
画像用アプリケーション１１３は、画像の表示・編集・並び替え等を行うためのアプリケーションであり、画像選択部１２１、選択解除部１２２、画像並び替え部１２３，及び表示制御部１２４等として機能する。
【００６３】
表示制御部１２４は、ＬＣＤ１３に対する画像の表示を制御する。画像選択部１２１は、操作対象の画像を選択するものであり、例えば、ＬＣＤ１３に表示される複数の画像のうち、タッチパッド１２でタッチされ、かつ、圧力センサ１５がタッチされた場合に（タッチパッド１２と圧力センサ１５が両方タッチされた状態）、操作対象の画像を選択し、選択した画像を識別表示する。
【００６４】
選択解除部１２２は、画像選択部１２１で選択された画像に対するタッチパッド１２のタッチが解除された場合、又は、圧力センサ１５のタッチが解除された場合に、選択した画像の選択状態を解除して、通常の表示に戻す。
【００６５】
画像並び替え部１２３は、画像選択部１２１で選択された画像に対するタッチパッド１２の押圧力の検出結果と、圧力センサ１５の押圧力の検出結果とに基づいて、選択された画像の並び替え処理を行う。画像並び替え部９は、選択された画像に対するタッチパッド１２の押圧力の所定量の増加を検出した場合には、選択された画像を１頁（１つ）だけ順方向（図６において、前面側１０ａから背面側１０ｂに向かう方向）に移動させ、圧力センサ５で押圧力の所定量の増加を検出した場合には、選択された画像を１頁（１つ）だけ逆方向（図６において、背面側１０ｂから前面側１０ａに向かう方向）に移動させる。
【００６６】
なお、操作量増減部９は、例えば、タッチセンサ１２と圧力センサ１５の押圧力が同時に増加した場合には、タッチバッド１２の押圧力をＰ１、圧力センサ１５の押圧力をＰ２とした場合に、Ｐ１−Ｐ２がプラスの場合には、｜Ｐ１−Ｐ２｜≧所定値の場合に、画像を順方向に移動させ、Ｐ１−Ｐ２がマイナスの場合には、｜Ｐ１−Ｐ２｜≧所定量の場合に、画像を逆方向に移動させてもよい。
【００６７】
図１０は、画像用アプリケーション１１３での画像の並び換えの一例を説明するための説明図である。以下の説明では、一例として３枚の画像１，２，３を並べ変える場合を説明する。
【００６８】
図１０（ａ）に示すように、画像１（背面側）、画像２（中央）、画像３（前面側）の順に表示されている場合について説明する。まず、画像３を順方向に移動させる場合について説明する。ユーザが、タッチパッド１２で操作対象の画像３を指でタッチし、かつ、圧力センサ１５を指でタッチすることにより、操作対象の画像３が選択され、識別表示される（図１０（ｂ））。
【００６９】
つぎに、ユーザがタッチパッド１２での指の押圧力を所定量増加させると、画像３が画像２の後方に移動（１頁順方向に移動）する（図１０（ｃ））。さらに、ユーザがタッチパッド１２での指の押圧力を所定量増加させると、画像３が画像１の後方に移動（１頁順方向に移動）する（図１０（ｄ））。ユーザが画像３の移動を完了させる場合には、ユーザはタッチパッド１２上の指を画像３から離す、又は、圧力センサ１５から指を離すことで、画像３の選択状態が解除され、通常の表示となる（図１０（ｅ））。
【００７０】
つぎに、画像１を逆方向（背面側から前面側）に移動させる場合について説明する。
図１０（ａ）に示すように、画像１（背面側）、画像２（中央）、画像３（前面側）の順に表示されている場合において、ユーザが、タッチパッド１２で操作対象の画像１を指でタッチし、かつ、圧力センサ１５を指でタッチすることにより、操作対象の画像１が選択され、識別表示される（図１０（ｆ））。次に、ユーザが圧力センサ１５での指の押圧力を所定量増加させると、画像１が画像２の前方（１頁逆方向に移動）に移動する（図１０（ｇ））。さらに、ユーザが圧力センサ１５での指の押圧力を所定量増加させると、画像１が画像３の前方（１頁逆方向に移動）に移動する（図１０（ｈ））。ユーザがタッチパッド１２上の指を画像１から離す、または、圧力センサ１５から指を離すことで、画像１の選択状態が解除され、通常の表示となる（図１０（ｉ））。
【００７１】
図１１のフローチャートを参照して、画像用アプリケーション１１３の画像並び替え処理を説明する。図１１において、画像用アプリケーション１１３では、画像選択部１２１は、ＬＣＤ（タッチパネル）１３に表示されている複数の画像の中から、１つの画像がタッチパッド１２でタッチされ、かつ、圧力センサ１５がタッチされたか否かを判断する（ステップＳ１０）。１つの画像がタッチパッド１２でタッチされ、かつ、圧力センサ１５がタッチされた場合には（ステップＳ１０の「Ｙｅｓ」）、画像選択部１２１は、当該画像を操作対象として選択し（ステップＳ１１）、選択した画像を識別表示する（ステップＳ１２）。
【００７２】
選択解除部１２２は、選択した画像に対するタッチパッド１２のタッチが解除されたか否かを判断する（ステップＳ１３）。選択した画像に対するタッチパッド１２のタッチが解除された場合には（ステップＳ１３の「Ｙｅｓ」）、選択解除部１２２は、選択した画像の選択状態を解除して（ステップＳ１５）、識別表示を解除した後（ステップＳ１６）、ステップＳ１０に戻る。
【００７３】
他方、選択した画像に対するタッチパッド１２のタッチが解除されていない場合には（ステップＳ１３の「Ｎｏ」）、選択解除部１２２は、圧力センサ１５のタッチが解除されたか否かを判断する（ステップＳ１４）。圧力センサ５のタッチが解除された場合には（ステップＳ１４の「Ｙｅｓ」）、選択解除部１２２は、選択した画像の選択状態を解除して（ステップＳ１５）、識別表示を解除した後（ステップＳ１６）、ステップＳ１０に戻る。圧力センサ１５のタッチが解除されていない場合には（ステップＳ１４の「Ｎｏ」）、ステップＳ１７に移行する。
【００７４】
ステップＳ１７では、画像並び替え部１２３は、選択した画像上でタッチパッド１２の押圧力が所定量増加したか否かを判断する。選択した画像上でタッチパッド１２の押圧力が所定量増加していない場合には（ステップＳ１７の「Ｎｏ」）、ステップＳ１９に移行する。選択した画像上でタッチパッド１２の押圧力が所定量増加した場合には（ステップＳ１７の「Ｙｅｓ」）、画像並び替え部１２３は、選択した画像を順方向に１頁だけ移動させ（ステップＳ１８）、ステップＳ１９に移行する。
【００７５】
ステップＳ１９では、画像並び替え部１２３は、圧力センサ１５の押圧力が所定量増加したか否かを判断する。圧力センサ１５の押圧力が所定量増加していていない場合には（ステップＳ１９の「Ｎｏ」）、ステップＳ１３に移行する。圧力センサ１５の押圧力が所定量増加した場合には（ステップＳ１９の「Ｙｅｓ」）、画像並び替え部１２３は、選択した画像を逆方向に１頁だけ移動させ（ステップＳ２０）、ステップＳ１３に移行する。
【００７６】
以上説明したように、本実施の形態によれば、前面側に配置されたＬＣＤ１３と、ＬＣＤ１３上に配置されたタッチパッド１２と、背面側に配置された圧力センサ１５と、画像を選択する画像選択部１２１と、タッチパッド１２の押圧力の検出結果と、圧力センサ１５の押圧力の検出結果とに基づいて、選択された画像を順方向又は逆方向に移動させる画像並び替え部１２３とを備えているので、片手の操作で画像を並び替える場合に、その操作性を向上させることが可能となる。付言すると、従来では困難であった逆方向への画像の移動を簡単な操作で行うことが可能となる。
【００７７】
（変形例）
上記実施例では、画像用アプリケーション１１３が画像の並び換え処理を行うこととして説明したが、本発明はこれに限られるものではなく、入力用ドライバ１１２ａ、ＯＳ１１３、ＯＳＡＰＩ、及びユーティリティプログラム等が画像の並び換え処理の一部又は全部を実行することにしてもよい。
【００７８】
また、圧力センサ１５の替わりに座標位置とその圧力を検出可能なマルチタッチパッドを使用して、タブレットＰＣ１０を保持するために接触している指と、タッチ入力（圧力入力）に使用している指（例えば、人差し指）とを識別し、タッチ入力（圧力入力）に使用している指（例えば、人差し指）のみの圧力を検出し、それ以外の指の圧力をキャンセルするように構成してもよい。
【００７９】
上記実施の形態では、タブレットＰＣを例示して説明したが、本発明はこれに限られるものではなく、スマートフォン、ＰＤＡ等の携帯型情報処理装置に適用可能である。  
【産業上の利用可能性】
【００８０】
以上のように、本発明にかかる携帯型情報処理装置、そのデータ処理方法、およびコンピュータが実行可能なプログラムは、片手で操作可能な携帯型情報処理装置に広く利用可能である。  
【符号の説明】
【００８１】
１  携帯型情報処理装置
２  タッチパネル
３  タッチパッド
４  表示部
５  圧力センサ
６  データ処理部
７  操作対象選択部
８  選択解除部
９  操作量増減部
１０  タブレットＰＣ
１１  筐体
１２  タッチパッド
１３  ＬＣＤ
１４  回路基板
１５  圧力センサ
２０  入力部
１０１  ＣＰＵ
１０２  ＲＯＭ
１０３  メモリ
１０４  ＨＤＤ（ハードディスク）
１０５  グラフィクスアダプタ
１０６  ＵＳＢポート
１０７  通信デバイス
１０８  電源回路
１１１  ＯＳ
１１２ａ  入力用ドライバ
１１２ｂ  表示用ドライバ
１１３  画像用アプリケーション
１２１  画像選択部
１２２  選択解除部
１２３  画像並び替え部
１２４  表示制御部
【図１】
2015049850.tif 000003
【図２】
2015049850.tif 000004
【図３】
2015049850.tif 000005
【図４】
2015049850.tif 000006
【図５】
2015049850.tif 000007
【図６】
2015049850.tif 000008
【図７】
2015049850.tif 000009
【図８】
2015049850.tif 000010
【図９】
2015049850.tif 000011
【図１０】
2015049850.tif 000012
【図１１】
2015049850.tif 000013